【手続補正書】
【提出日】平成25年1月24日(2013.1.24)
【手続補正１】
【補正対象書類名】特許請求の範囲
【補正対象項目名】全文
【補正方法】変更
【補正の内容】
【特許請求の範囲】
【請求項１】
当りか否かの抽選結果を導出する図柄変動ゲームの変動内容を選択するための選択テーブルを規定する遊技状態を管理する遊技機において、
始動口への入球時に、その入球した遊技球に基づく図柄変動ゲームが実行される時の実行時遊技状態を実行以前に事前判定する事前状態判定手段と、
前記事前状態判定手段の判定結果をもとに、前記入球に基づく図柄変動ゲームがはずれ変動である場合に前記実行時遊技状態を実行以前に指示する事前状態指示手段と、
前記事前状態指示手段の指示を受けて、前記図柄変動ゲームの実行以前に演出を実行させる演出実行手段と、を備え、
前記演出実行手段は、前記演出として前記遊技状態の変化を示唆する示唆演出を実行させ、前記示唆演出の実行対象となる図柄変動ゲームよりも前に実行されるとともに前記事前状態指示手段の指示を受けた時点で実行が保留されている図柄変動ゲームが当り変動とならない場合に前記示唆演出を実行させることを特徴とする遊技機。
【請求項２】
遊技状態の移行後の図柄変動ゲームの実行回数を計数するとともに、その実行回数が予め定めた回数に達した場合に現在の遊技状態を他の遊技状態へ移行させる第２の状態移行手段を備え、
前記事前状態判定手段は、前記第２の状態移行手段が計数する実行回数をもとに、入球した遊技球に基づく図柄変動ゲームが実行される時の実行時遊技状態を事前判定することを特徴とする請求項１に記載の遊技機。
【請求項３】
前記始動口への入球時に、現在の遊技状態を他の遊技状態へ移行させるか否かの移行抽選を行い、当該移行抽選で他の遊技状態へ移行させることに当選した場合には入球した遊技球に基づく図柄変動ゲームの実行を契機に他の遊技状態へ移行させる第１の状態移行手段を備え、
前記事前状態判定手段は、前記第１の状態移行手段が行う移行抽選の抽選結果をもとに、入球した遊技球に基づく図柄変動ゲームが実行される時の実行時遊技状態を事前判定することを特徴とする請求項１に記載の遊技機。
【請求項４】
前記始動口には、遊技球の入球口を遊技球が入球し難い閉鎖状態から遊技球が入球し易い開放状態に可変させる開閉手段が配設されており、
前記選択テーブルは、当りか否かの抽選確率を低確率から高確率へ変動させる確率変動状態が付与されているか否かと、前記開閉手段の動作によって単位時間あたりにおける前記始動口の開放時間を増加させる開放時間増加状態が付与されているか否かとの組み合わせによって設定されており、
遊技全体を制御する主制御基板と、
前記主制御基板からの指示を受けて、前記図柄変動ゲームを含む各種遊技演出の実行を制御する副制御基板と、を備え、
前記主制御基板には、前記事前状態判定手段と前記事前状態指示手段を具備するとともに、前記遊技状態の変化時に変化後の遊技状態を指示する変化時状態指示手段を具備する一方で、
前記副制御基板には、前記演出実行手段を具備し、前記演出実行手段は、前記事前状態指示手段からの指示を受けて遊技状態の変化前に前記示唆演出を実行させるとともに、前記変化時状態指示手段からの指示を受けて遊技状態の変化時に当該遊技状態の変化を遊技者に確定的に認識させるための状態確定演出を前記示唆演出とは異なる演出内容で実行させることを特徴とする請求項１〜請求項３のうち何れか一項に記載の遊技機。
【請求項５】
前記事前状態指示手段の指示は、前記始動口に入球した遊技球に基づく図柄変動ゲームの実行以前に当該図柄変動ゲームの当否の可能性を予告する事前演出を実行するための指示と兼用されており、
前記演出実行手段は、前記事前状態指示手段の指示により、前記遊技状態の変化が生じる場合には前記示唆演出を実行させる一方で、前記遊技状態の変化が生じない場合には前記事前演出又は前記示唆演出の何れかを実行させることを特徴とする請求項１〜請求項４のうち何れか一項に記載の遊技機。
【手続補正２】
【補正対象書類名】明細書
【補正対象項目名】０００７
【補正方法】変更
【補正の内容】
【０００７】
上記問題点を解決するために、請求項１に記載の発明は、当りか否かの抽選結果を導出する図柄変動ゲームの変動内容を選択するための選択テーブルを規定する遊技状態を管理する遊技機において、始動口への入球時に、その入球した遊技球に基づく図柄変動ゲームが実行される時の実行時遊技状態を実行以前に事前判定する事前状態判定手段と、前記事前状態判定手段の判定結果をもとに、前記入球に基づく図柄変動ゲームがはずれ変動である場合に前記実行時遊技状態を実行以前に指示する事前状態指示手段と、前記事前状態指示手段の指示を受けて、前記図柄変動ゲームの実行以前に演出を実行させる演出実行手段と、を備え、前記演出実行手段は、前記演出として前記遊技状態の変化を示唆する示唆演出を実行させ、前記示唆演出の実行対象となる図柄変動ゲームよりも前に実行されるとともに前記事前状態指示手段の指示を受けた時点で実行が保留されている図柄変動ゲームが当り変動とならない場合に前記示唆演出を実行させることを要旨とする。
【手続補正３】
【補正対象書類名】明細書
【補正対象項目名】０００８
【補正方法】変更
【補正の内容】
【０００８】
請求項２に記載の発明は、請求項１に記載の遊技機において、遊技状態の移行後の図柄変動ゲームの実行回数を計数するとともに、その実行回数が予め定めた回数に達した場合に現在の遊技状態を他の遊技状態へ移行させる第２の状態移行手段を備え、前記事前状態判定手段は、前記第２の状態移行手段が計数する実行回数をもとに、入球した遊技球に基づく図柄変動ゲームが実行される時の実行時遊技状態を事前判定することを要旨とする。
請求項３に記載の発明は、請求項１に記載の遊技機において、前記始動口への入球時に、現在の遊技状態を他の遊技状態へ移行させるか否かの移行抽選を行い、当該移行抽選で他の遊技状態へ移行させることに当選した場合には入球した遊技球に基づく図柄変動ゲームの実行を契機に他の遊技状態へ移行させる第１の状態移行手段を備え、前記事前状態判定手段は、前記第１の状態移行手段が行う移行抽選の抽選結果をもとに、入球した遊技球に基づく図柄変動ゲームが実行される時の実行時遊技状態を事前判定することを要旨とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
請求項４に記載の発明は、請求項１〜請求項３のうち何れか一項に記載の遊技機において、前記始動口には、遊技球の入球口を遊技球が入球し難い閉鎖状態から遊技球が入球し易い開放状態に可変させる開閉手段が配設されており、前記選択テーブルは、当りか否かの抽選確率を低確率から高確率へ変動させる確率変動状態が付与されているか否かと、前記開閉手段の動作によって単位時間あたりにおける前記始動口の開放時間を増加させる開放時間増加状態が付与されているか否かとの組み合わせによって設定されており、遊技全体を制御する主制御基板と、前記主制御基板からの指示を受けて、前記図柄変動ゲームを含む各種遊技演出の実行を制御する副制御基板と、を備え、前記主制御基板には、前記事前状態判定手段と前記事前状態指示手段を具備するとともに、前記遊技状態の変化時に変化後の遊技状態を指示する変化時状態指示手段を具備する一方で、前記副制御基板には、前記演出実行手段を具備し、前記演出実行手段は、前記事前状態指示手段からの指示を受けて遊技状態の変化前に前記示唆演出を実行させるとともに、前記変化時状態指示手段からの指示を受けて遊技状態の変化時に当該遊技状態の変化を遊技者に確定的に認識させるための状態確定演出を前記示唆演出とは異なる演出内容で実行させることを要旨とする。
【手続補正６】
【補正対象書類名】明細書
【補正対象項目名】００１１
【補正方法】変更
【補正の内容】
【００１１】
請求項５に記載の発明は、請求項１〜請求項４のうち何れか一項に記載の遊技機において、前記事前状態指示手段の指示は、前記始動口に入球した遊技球に基づく図柄変動ゲームの実行以前に当該図柄変動ゲームの当否の可能性を予告する事前演出を実行するための指示と兼用されており、前記演出実行手段は、前記事前状態指示手段の指示により、前記遊技状態の変化が生じる場合には前記示唆演出を実行させる一方で、前記遊技状態の変化が生じない場合には前記事前演出又は前記示唆演出の何れかを実行させることを要旨とする。
【手続補正７】
【補正対象書類名】明細書
【補正対象項目名】００１２
【補正方法】削除
【補正の内容】